(57)【要約】【課題】安全性が高いパターンロック方式のロック解除機能を備えたタッチ操作装置を提供する。【解決手段】タッチ操作装置はタッチスクリーンにロック解除画面を表示する。ロック解除画面は、所定の規則に従って配列された複数個のガイドと、ガイドの周囲に配列された複数個の記号とを有する。複数個のガイドのうち１個のガイドが開始ガイドとして設定される。開始ガイドの周囲に解除記号が配置される。タッチ操作の軌跡である入力パターンの最初のガイドと開始ガイドが一致するとともに、入力パターンの形状と解除パターンの形状が一致したとき、タッチ操作装置はロックを解除する。【選択図】図７
2019008762.tif 000002
【特許請求の範囲】
【請求項１】
予め決められた機能のロック及びロック解除の動作を制御するロック制御部と、
前記ロック解除のためのロック解除画面を生成する画像生成部と、
生成された前記ロック解除画面を表示しタッチ操作を検出可能なタッチスクリーンと、
予め登録された解除パターンと、複数個の記号を組合せた解除記号を記憶する記憶部と、を備え、
前記画像生成部は、
複数個のガイドを前記ロック解除画面に含め、
所定の規則に従って前記ガイドを配列し、
複数個の記号を前記ロック解除画面に含め、
一定の間隔をあけて前記ガイドの周囲に前記記号を配し、
開始ガイドとして設定された前記ガイドを１つ前記ロック解除画面に含め、
前記開始ガイドの周囲に前記解除記号を配置した前記ロック解除画面を生成し、
前記ロック制御部は、
前記ガイドを繋ぐ前記タッチ操作の軌跡である入力パターンを取得し、
前記入力パターンにおいて、最初に前記タッチ操作がなされたガイドが前記開始ガイドと一致するとともに、前記入力パターンの形状と前記解除パターンの形状とが一致したこと確認したとき、前記ロックを解除することを特徴とするタッチ操作装置。
【請求項２】
前記画像生成部は、前記ロック解除画面を前記タッチスクリーンに表示する毎に、前記開始ガイドの位置が異なる新たな前記ロック解除画面を生成することを特徴とする請求項１に記載のタッチ操作装置。
【請求項３】
前記解除記号は含まれる記号の配列順が決められており、
前記画像生成部は、前記開始ガイドの周囲を決められた配列順の前記解除記号で囲む前記ロック解除画面を生成することを特徴とする請求項１又は請求項２に記載のタッチ操作装置。
【請求項４】
前記ロック解除画面を表示させた後に前記ロック制御部がタッチ操作を検出したとき、
前記画像生成部は、前記ロック表示画面に含まれる全ての前記記号を非表示にすることを特徴とする請求項１から請求項３のいずれか１項に記載のタッチ操作装置。
【請求項５】
前記画像生成部は、前記解除記号に含まれる記号の個数に対応して、決められた配列で前記ガイドを並べた前記ロック解除画面を生成することを特徴とする請求項１から請求項４のいずれか１項に記載のタッチ操作装置。
【請求項６】
前記解除記号は、複数個の記号を含み、文字を含むことを特徴とする請求項１から請求項５のいずれか１項に記載のタッチ操作装置。
【請求項７】
前記解除記号は、複数個の記号を含み、数字を含むことを特徴とする請求項１から請求項６のいずれか１項に記載のタッチ操作装置。
【請求項８】
前記画像生成部は、
前記解除記号に含まれる記号のうち、何れか１つの記号である特定記号を認識し、
前記特定記号を１つのみ含み、前記開始ガイドの周囲に前記特定記号を配置した前記ロック解除画面を生成することを特徴とする請求項１乃至７の何れか１項に記載のタッチ操作装置。
【請求項９】
前記解除記号が前記特定記号と同じ記号を複数含むとき、
前記画像生成部は、
前記解除記号に含まれる前記特定記号と同じ記号の数である同一記号数を認識し、
前記特定記号を前記同一記号数と同じ数だけ含み、前記開始ガイドの周囲に前記解除記号を配置した前記ロック解除画面を生成することを特徴とする請求項８に記載のタッチ操作装置。
【請求項１０】
前記タッチスクリーンは、前記特定記号を選択する操作を受け付け、
前記画像生成部は、前記タッチスクリーンでの選択操作に基づき、前記特定記号を認識することを特徴とする請求項８又は９に記載のタッチ操作装置。
【請求項１１】
前記画像生成部は、
前記解除記号に含まれる記号のうち、第１特定記号と第２特定記号を認識し、
前記第１特定記号と前記第２特定記号が隣り合う特定記号配列部分を１つのみ含み、前記開始ガイドの周囲に前記第１特定記号と前記第２特定記号を配置した前記ロック解除画面を生成することを特徴とする請求項１乃至７の何れか１項に記載のタッチ操作装置。
【請求項１２】
前記タッチスクリーンは、前記第１特定記号と前記第２特定記号を選択する操作を受け付け、
前記画像生成部は、前記タッチスクリーンでの選択操作に基づき、前記第１特定記号と前記第２特定記号を認識することを特徴とする請求項１１に記載のタッチ操作装置。
【請求項１３】
シートに画像を形成する画像形成部と、
制御部と、
請求項１から請求項１２のいずれかに記載のタッチ操作装置と、を備え、
前記タッチ操作装置が、前記タッチ操作に基づいて前記画像形成部を制御する画像形成装置。
【請求項１４】
ロック解除のためのロック解除画面を生成すること、
生成された前記ロック解除画面を表示すること、
タッチ操作を検出すること、
予め登録された解除パターンと、複数個の記号を組合せた解除記号とを記憶すること、
複数個のガイドを前記ロック解除画面に含めること、
所定の規則に従って前記ガイドを配列すること、
複数個の記号を前記ロック解除画面に含めること、
一定の間隔をあけて前記ガイドの周囲に前記記号を配すること、
開始ガイドとして設定された前記ガイドを１つ前記ロック解除画面に含めること、
前記開始ガイドの周囲に前記解除記号を配置した前記ロック解除画面を生成すること、
前記ガイドを繋ぐ前記タッチ操作の軌跡である入力パターンを取得すること、
前記入力パターンにおいて、最初に前記タッチ操作がなされたガイドが前記開始ガイドと一致するとともに、前記入力パターンの形状と前記解除パターンの形状とが一致したこと確認したとき、前記ロックを解除すること、
を含むことを特徴とするタッチ操作装置のロック解錠方法。
【発明の詳細な説明】
【技術分野】
【０００１】
本発明は、入力パターンを認識してロックを解除するタッチ操作装置、及び、タッチ操作装置を備えた画像形成装置に関する。また、本発明は、入力パターンを認識してロックを解除するロック解除方法に関する。
【背景技術】
【０００２】
許可されていない者や他人の操作（不正使用）を防止するためのロック機構を備える電子機器がある。文字（パスワード）を用いたロック機構は従来公知である。また、近年、タッチパネルを備えた電子機器が増えている。タッチパネルを備えた電子機器では、パターンロック方式のロック機構を採用するものが増えている。パターンロック方式では、タッチパネルに表示される点をなぞって得られる軌跡（パターン）と、予め登録されたパターンとを照合し、一致したときロックが解除される。
【０００３】
この方式では、ロックを解除するとき、ユーザーは、タッチパネル上に指でパターンを描く。そのため、指の皮脂などによる描画跡がタッチパネル上に残る場合がある。描画跡に基づいて、使用を許可していない他人がパターンロックを解除することがある。
【０００４】
タッチパネル上に描画跡が残ることを防ぐことができる電子機器が提案されている（例えば、特許文献１）。この電子機器では、接触しなくてもユーザーの指を検知する（反応する）タッチパネルが用いられる。指をタッチパネルから離間させた状態で描画されたパターンが認識される。非接触でユーザーの指を検知できるタッチパネルを用いることで、ユーザーの指の指紋や指からの皮脂が残らない（描画跡が残らない）。特許文献１の電子機器では、パターンを知らない（不許可の）他人によってロックが解除されにくい。
【先行技術文献】
【特許文献】
【０００５】
【特許文献１】特開２０１４−２２２３９２号公報
【発明の概要】
【発明が解決しようとする課題】
【０００６】
しかし、特許文献１に記載の電子機器では、タッチパネルにおけるパターンの位置及び方向が常に同じである。パターン入力時のユーザーの指の動きから、ロックを解除パターンの推測が可能である。許可されていない他人によってロックが解除される虞がある。
【０００７】
本発明は、上記従来技術の問題点に鑑み、不正使用に対する安全性が高いロック解除機能を備えたパターンロック方式のタッチ操作装置を提供する。
【課題を解決するための手段】
【０００８】
本発明に係るタッチ操作装置は、ロック制御部、画像生成部、タッチスクリーン、記憶部を含む。前記ロック制御部は、予め決められた機能のロック及びロック解除の動作を制御する。前記画像生成部は、前記ロック解除のためのロック解除画面を生成する。前記タッチスクリーンは、生成された前記ロック解除画面を表示し、タッチ操作を検出できる。前記記憶部は、予め登録された解除パターンと、複数個の記号を組合せた解除記号とを記憶する。前記画像生成部は、複数個のガイドを前記ロック解除画面に含める。前記画像生成部は、所定の規則に従って前記ガイドを配列する。前記画像生成部は、複数個の記号を前記ロック解除画面に含める。前記画像生成部は、一定の間隔をあけて前記ガイドの周囲に前記記号を配する。前記画像生成部は、開始ガイドとして設定された前記ガイドを１つ前記ロック解除画面に含める。前記画像生成部は、前記開始ガイドの周囲に前記解除記号を配置した前記ロック解除画面を生成する。前記ロック制御部は、前記ガイドを繋ぐ前記タッチ操作の軌跡である入力パターンを取得する。前記入力パターンにおいて、最初に前記タッチ操作がなされたガイドが前記開始ガイドと一致するとともに、前記入力パターンの形状と前記解除パターンの形状とが一致したこと確認したとき、前記ロック制御部は、前記ロックを解除する。
【発明の効果】
【０００９】
本発明によれば、不正使用に対する安全性が高いパターンロック方式のロック解除機能を備えたタッチ操作装置を提供することができる。
【図面の簡単な説明】
【００１０】
【図１】実施形態に係るタッチ操作装置を含む複合機の一例を示す図である。
【図２】図１に示す複合機の一例を示す図である。
【図３】実施形態に係るタッチ操作装置の一例を示す図である。
【図４】実施形態に係るタッチ操作装置を含む操作パネルの一例を示す図である。
【図５】実施形態に係るタッチ操作装置によるロック解除用の記号及びパターンを登録する手順の一例を示す図である。
【図６】実施形態に係る登録画面の一例を示す図である。
【図７】実施形態に係るロック解除操作の手順の一例を示す図である。
【図８】実施形態に係るロック解除画面の一例を示す図である。
【図９】実施形態に係るやり直し表示画面の一例を示す図である。
【図１０】実施形態に係るロック解除不可表示画面の一例を示す図である。
【図１１】第１変形例に係るロック解除画面の一例を示す図である。
【図１２】第２変形例に係るタッチ操作装置のロック解除操作の一例を示す図である。
【図１３】第３変形例に係る登録画面の一例を示す図である。
【図１４】第３変形例に係るロック解除画面の一例を示す図である。
【図１５】第４変形例に係る登録画面の一例を示す図である。
【図１６】第４変形例に係るロック解除画面の一例を示す図である。
【図１７】第５変形例に係る登録画面の一例を示す図である。
【図１８】第５変形例に係るロック解除画面の一例を示す図である。
【図１９】第６変形例に係る登録画面の一例を示す図である。
【図２０】第６変形例に係るロック解除画面の一例を示す図である。
【発明を実施するための形態】
【００１１】
以下、図面を参照して、実施形態に係るタッチ操作装置及びそれを含む機器について説明する。本発明に記載されている構成、配置等の各要素は、発明の範囲を限定せず、単なる説明例にすぎない。
【００１２】
図１は、実施形態にかかる複合機の主要構成を示す機能ブロック図である。図２は、図１に示す複合機の一例を示す図である。図３は、実施形態に係るタッチ操作装置の一例を示す図である。図４は実施形態に係るタッチ操作装置を含む操作パネルの一例を示す図である。
【００１３】
（複合機１００）
複合機１００は、タッチ操作装置を含む。複合機１００（画像形成装置）は、例えば、コピー機能、プリンター機能、スキャナー機能及びＦＡＸ機能等の複数の機能を備える。複合機１００は、実施形態に係るタッチ操作装置を含む機器の一例である。
【００１４】
図１、図２に示すように、制御部１、印刷部２、主記憶部３が複合機１００に設けられる。また、複合機１００は、画像読取部４、原稿搬送部５及び操作パネル６を含む。図２に示すように、印刷部２の上方に画像読取部４が設けられる。画像読取部４の上方に原稿搬送部５が設けられる。また、複合機１００は通信部７を含む。また、操作パネル６は実施形態に係るタッチ操作装置８を含む。
【００１５】
（制御部１）
制御部１は複合機１００の全体制御を司る。制御部１はＣＰＵ１１を含む。また、複合機１００は主記憶部３を含む。主記憶部３はＲＯＭ、ＨＤＤやフラッシュＲＯＭのような不揮発性メモリーとＲＡＭのような揮発性のメモリーを含む。主記憶部３は、制御に関するプログラムやデータを記憶する。制御部１は主記憶部３のプログラムやデータを利用して各部を制御する。制御部１は、コピーやＦＡＸ送信等の実行時のスキャン、印刷、送信、画像データの記憶を制御する。
【００１６】
制御部１には画像処理部１２が設けられる。画像処理部１２は、画像読取部４から出力される画像データに画像処理を行う。また、画像処理部１２は、通信部７を介してコンピューター２００、サーバー３００、又は、ＦＡＸ装置４００等から送られた画像データに画像処理を行う。画像処理部１２は、画像データに含まれる画像の内容を読み取る。
【００１７】
（印刷部２）
印刷部２は、給紙部２ａ、搬送部２ｂ、画像形成部２ｃ、定着部２ｄ及び用紙排出部２ｅを含む。給紙部２ａは、用紙を供給する。搬送部２ｂは、用紙を搬送し、印刷済み用紙を機外に排出する。画像形成部２ｃは、画像データに基づきトナー像を形成し、搬送される用紙にトナー像を転写する。定着部２ｄは、転写されたトナー像を用紙に定着させる。制御部１は印刷部２の動作を制御する。
【００１８】
図２に示すように、給紙部２ａは複数の給紙カセット２１を備える。複数の給紙カセット２１には用紙が収容される。制御部１は、ユーザーの指示に基づいて用紙の適切な大きさ、方向を選択する。そして、適切な用紙が収容された給紙カセット２１を選択する。給紙部２ａは、制御部１からの指示に従って、選択された給紙カセット２１から用紙を繰り出す。給紙カセット２１は、複合機１００の前面側から前方（図２において、紙面手前）に引き出し可能である。把持部２１１が前面に露出している。
【００１９】
排出トレイ２２は印刷部２と画像読取部５との間に設けられた隙間に配される。定着部２ｄで画像が定着された用紙は、用紙排出部２ｅによって、排出トレイ２２に排出される。排出トレイ２２は、複合機１００の右側に開口２２１を有する。
【００２０】
（画像読取部４）
制御部１の制御に基づいて、画像読取部４は、原稿の画像を読み取り、画像データを生成する。図２に示すように、画像読取部４は、原稿を載置するためのコンタクトガラス４１（原稿台）を備える。画像読取部４は、原稿押えカバー４２と、読取機構４３を備える。原稿押えカバー４２は、開閉自在であり、コンタクトガラス４１に載置された原稿を押える。読取機構４３は、コンタクトガラス４１に載置された原稿又はコンタクトガラス４１へ搬送される原稿を読み取る。
【００２１】
（原稿搬送部５）
原稿搬送部５は、制御部１の制御に基づいて、原稿を画像読取部４のコンタクトガラス４１に搬送する。原稿搬送部５は、原稿が載置される原稿載置台５１、画像読み取り済みの原稿が排出される原稿排出部５２、原稿搬送機構５３を備える（図２参照）。原稿搬送機構５３は、図略の給紙ローラー及び搬送ローラー等を備える。給紙ローラー及び搬送ローラーの駆動により、原稿搬送機構５３は原稿載置台５１に載置された原稿を１枚ずつ繰り出す。原稿搬送機構５３は原稿をコンタクトガラス４１へ搬送する。コンタクトガラス４１に搬送された原稿は読取機構４３によって読み取られる。その後、原稿は原稿排出部５２に排出される。
【００２２】
画像読取部４は、原稿搬送部５により搬送される原稿、又は、コンタクトガラス４１に載置された原稿を光学的に読み取る。そして、画像読取部４は画像データを生成する。画像読取部４により生成された画像データは主記憶部３又はネットワーク接続されたコンピューター等に保存される。
【００２３】
（通信部７）
通信部７は、コンピューター２００（ＰＣ）、サーバー３００及びＦＡＸ装置４００と、有線及び（又は）無線ネットワーク、公衆回線等を介して通信可能に接続される。
【００２４】
（操作パネル６）
図１に示すように、操作パネル６は、ハードキー６１と、タッチ操作装置８を備える。ハードキー６１は、物理的な形状を有する（物理キー）。図４に示すように、ハードキー６１は、操作パネル６（後述するタッチスクリーン８１）の側方に配置される。ハードキー６１は、数字入力用のテンキー、上下左右を選択する選択キー、実行キーを含む。さらに別のハードキーを設けてもよい。ハードキー６１は後述の処理部８０と接続される。処理部８０を介して、制御部１に入力情報（信号）を送信する。
【００２５】
（タッチ操作装置８）
タッチ操作装置８の詳細を説明する。図３に示すように、タッチ操作装置８は、処理部８０、タッチスクリーン８１、記憶部８２を備える。
【００２６】
処理部８０は、タッチ操作装置８を制御する制御部である。処理部８０は、ロック制御部８０１と、画像生成部８０２を備える。処理部８０は、制御部１と同様、演算処理回路（例えば、ＣＰＵ）を備える。処理部８０は制御部１に比べて処理量が少ない。そのため、処理部８０に備えられる演算処理回路は、制御部１に備えられるＣＰＵ１１に比べて、能力が低いものを用いることが可能である。なお、制御部１と処理部８０は一体化されていてもよい。例えば、処理部８０は、制御部１の一部を構成していてもよい。処理部８０は、ロック制御部８０１、画像生成部８０２の機能を有し、制御部１（例えば、ＣＰＵ１１）で実行されるプログラムであってもよい。
【００２７】
処理部８０と制御部１とが別体であることで、複合機１００の省電力モードのとき、制御部１を休止状態にすることができる。休止状態は電力の供給が停止された状態である。処理部８０は最小限の電力が供給される待機状態になる。制御部１よりも消費電力が小さい処理部８０だけが待機状態となる。これにより、制御部１全体を待機状態にする場合に比べて消費電力を減らすことができる。
【００２８】
ロック制御部８０１は、タッチ操作装置８の機能の全部又は一部のロック及びロック解除を制御する。ロック制御部８０１は、処理回路として処理部８０に設けられてもよい。ロック制御部８０１は、処理部８０内の演算回路で動作するプログラムでもよい。ロック制御部８０１は、処理部８０の機能の一部として説明する。
【００２９】
ロック状態では、タッチ操作装置８は、例えば、ロック解除操作以外、タッチスクリーン８１での操作入力を受け付けない。なお、ロック制御部８０１によってロックが有効な場合でも、タッチ操作装置８は、ロック解除操作以外の操作の一部を受け付けてもよい。ロック制御部８０１の機能及び動作の詳細については、後述する。
【００３０】
画像生成部８０２は画像（画像データ）を生成する。画像生成部８０２は表示用の画像（画像データ）を生成する。表示部８１１（詳細は後述）は、画像生成部が生成した画像を表示する。画像生成部８０２はロック解除画面（ロック解除用画像）の画像データを生成する。ロック状態のとき、処理部８０（画像生成部８０２）は、ロック解除画面（生成した画像データに基づく画面）を表示部８１１に表示させる。ロック解除画像は、ロックを解除するときに表示される。画像生成部８０２は、ロック制御部８０１からの指示に従い、ロック解除画面を生成する。なお、図３において、ロック制御部８０１と画像生成部８０２を別体として示している。しかし、ロック制御部８０１が画像生成部８０２を内包していてもよい。
【００３１】
タッチスクリーン８１は処理部８０と接続される。タッチスクリーン８１と処理部８０との間で、情報（信号）がやり取りされる。タッチスクリーン８１は、画像（画面）を表示する。タッチスクリーン８１は、表示画像への接触（表示画像の選択／解除、入力）を受け付ける。タッチスクリーン８１は、いわゆる、タッチパネル付きのディスプレイである。タッチスクリーン８１は、表示部８１１（ディスプレイ）と操作検出部８１２（タッチパネル）とを備える。表示部８１１は画像を表示する。表示部８１１は、例えば、液晶パネルや有機ＥＬパネルである（これら以外の表示パネルでもよい）。平面状であるとともに、画像の表示が可能なものを表示部８１１として広く採用することができる。
【００３２】
操作検出部８１２は、表示部８１１の前面に配置される。操作検出部８１２は指示体（例えば、ユーザーの指）の接触を検知する。操作検出部８１２は、接触位置（操作検出部８１２上における座標）を検出する。操作検出部８１２は透光性を有する。ユーザーは、隣接配置された表示部８１１に表示された画像を、表示部８１１と反対側から視認できる。操作検出部８１２には、ユーザーの指の圧力を検出するものや、ユーザーの指の電荷を検出するものを用いることができる。操作検出部８１２はこれらに限定されない。ユーザーの指の位置を検出できる構成を採用することができる。操作検出部８１２はユーザーの指の位置を検出する。ユーザーは指で表示部８１１に表示された画像を指定、選択できる。タッチスクリーン８１は入力装置として使用可能である。
【００３３】
ロック解除に必要な情報が記憶部８２に記録される。記憶部８２は、解除パターンデータ８２１と解除記号データ８２２を記録する。解除パターンデータ８２１は、ロック解除用のデータである。解除パターンデータ８２１は、解除に必要なユーザーの指の軌跡（パターン）を示す。ロック解除時、ユーザーは、表示されたガイドに触れる。ユーザーはガイドを繋いで軌跡を描く。解除記号データ８２２はロック解除に必要な記号を示す。解除に必要な記号は、例えば、数字を含む。記憶部８２は、ロック制御部８０１と接続される。ロック制御部８０１は記憶部８２にアクセスする。ロック制御部８０１は解除パターンデータ８２１及び解除記号データ８２２を取得する。なお、解除パターンデータ８２１及び解除記号データ８２２は、ユーザーによって予め決定される。
【００３４】
（解除パターン及び解除記号の登録）
次に、タッチ操作装置８の動作を説明する。図５は、実施形態に係るロック解除用の記号及びパターンを登録する手順の一例を示す図である。図６は、実施形態に係る登録画面の一例を示す図である。
【００３５】
記号とは、数字、文字、模様を含む。模様とは、ハート、ダイヤのような周知の図柄を含む。模様は周知の図柄に限定されない。記号はユーザーが識別可能であればよい。例えば、社章、コーポレートマークが記号と扱われてもよい。さらに、図柄をユーザーが登録できるようにしてもよい。以下では、数字を記号として用いる例を説明する。
【００３６】
タッチ操作装置８では、解除記号Ｏｃ１と、解除パターンＯｐ１を登録することができる。解除記号Ｏｃ１はユーザーがロックを解除するためのパスワードである。図５のスタートは、ユーザーがロック設定を開始するための操作を行った時点である。ロック設定は、解除記号及び解除パターンを登録する設定である。ユーザーによって、ロック設定開始の操作が行われると（ステップＳ１１）、処理部８０（ロック制御部８０１）は、登録画面Ｄ１１をタッチスクリーン８１（表示部８１１）に表示させる（ステップＳ１２、図６参照）。登録画面Ｄ１１は、ロック解除用データ（解除記号Ｏｃ１と解除パターンＯｐ１）を登録するための画面である。
【００３７】
図６は、解除記号Ｏｃ１及び解除パターンＯｐ１の入力後の状態を示す。登録画面Ｄ１１は、入力部ＩＣＢと登録用ガイドＩＰ１を含む。入力部ＩＣＢは、解除記号Ｏｃ１を入力する部分である。入力部ＩＣＢは、記号入力用のボックスである。登録用ガイドＩＰ１は解除パターンＯｐ１を入力する部分である。例えば、入力部ＩＣＢをタッチしたとき、処理部８０は、記号を入力するためのソフトウェアキーボードを表示部８１１に表示させる。記号入力は、タッチスクリーン８１を用いて行われる。記号入力は、ハードキー６１を用いて行われてもよい。本説明では、解除記号Ｏｃ１を４ケタの数字とする。解除記号Ｏｃ１を記号数は、１つのガイドＧｕ１の周囲に配される記号数と同じである。図６は、「７９３８」を解除記号Ｏｃ１として登録する例を示す。
【００３８】
登録ガイドＩＰ１は、計９個のガイドＧｕ１を含む。ガイドＧｕ１は、上下左右に３個ずつ、等間隔で配列される。ユーザーは、ガイドＧｕ１を繋ぐようにタッチスクリーン８１を指でなぞる。ユーザーは、解除パターンＯｐ１（解除用の指の軌跡）を入力する。なお、図６は、中央段の左側のガイドから、「上」、「右」、「右」、「下」、「左」、「下」とガイドを繋ぐ軌跡を解除パターンＯｐ１として登録する例を示す。軌跡（解除パターンＯｐ１）は下段の中央のガイドで終了している。なお、登録画面Ｄ１１は一例である。登録画面Ｄ１１はこれに限定されない。解除記号及び解除パターンの登録が可能な構成を広く採用することが可能である。
【００３９】
ロック制御部８１１は、ユーザーが解除記号Ｏｃ１及び解除パターンＯｐ１を入力したかの確認を続ける（ステップＳ１３、ステップＳ１３のＮｏ→ステップＳ１３）。ロック制御部８１１は、解除記号Ｏｃ１及び解除パターンＯｐ１の入力があるまで待機する。入力を確認したとき、ロック制御部８１１は、解除パターンＯｐ１と解除記号Ｏｃ１を記憶部８２に記憶させる（ステップＳ１４）。ロック制御部８１１は、入力された解除パターンＯｐ１を解除パターンデータ８２１として記憶させる。ロック制御部８１１は、入力された解除記号Ｏｃ１を解除記号データ８２２として記憶させる。解除パターンＯｐ１と解除記号Ｏｃ１は、関連付けられる。解除パターン又は解除記号のいずれか一方を指定することで、他方の情報を取得することができる。タッチ操作装置８では、解除記号Ｏｃ１と解除パターンＯｐ１との登録を受け付け、記憶部８２に記憶する。
【００４０】
（ロック解除）
次に、ロック状態のタッチ操作装置８のロックを解除する手順について図面を参照して説明する。図７は、実施形態に係るロック解除操作の手順の一例を示す図である。
【００４１】
複合機１００はスリープモードを備える。スリープモードは、未使用時間が長くなったとき、各部への電力供給を停止又は必要最小限に抑えるモードである。複合機１００では、操作パネル６にだけ最低限の電力が供給される。例えば、操作パネル６は、タッチスクリーン８１へのタッチ操作や、ハードキー６１の操作入力を検出できる程度に電力が供給される。タッチ操作装置８は、スリープモードに移行したときにロック状態となる。スリープモードが終了してもロック状態は継続される。
【００４２】
図７に示すように、スリープモードのとき、ロック制御部８０１はロック解除の要求があるか確認する（ステップＳ１０１）。例えば、ロック制御部８０１は、タッチスクリーン８１へのユーザーの指の接触、ハードキー６１への操作入力等を確認する。ハードキー６１及び操作検出部８１２は、いずれも、ロック制御部８０１と接続される。そのため、ロック制御部８０１は、これらの機器からの信号に基づいて操作の有無を確認できる。ロック解除要求があるまで（ステップＳ１０１でＹｅｓになるまで）、ロック制御部８０１は待機する。なお、以下では、ユーザーの指をタッチスクリーン８１に接触する指示体とする例を説明する。しかし、指示体はこれに限定されない。例えば、タッチペンのような器具を指示体としてもよい。この場合、タッチスクリーン８１は器具の接触を検出する。
【００４３】
ロック解除の要求があった場合（ステップＳ１０１のＹｅｓ）、ロック制御部８０１は、解除パターンデータ８２１と解除記号データ８２２から、解除パターンＯｐ１及び解除記号Ｏｃ１を呼び出す（ステップＳ１０２）。ロック制御部８０１は、解除記号Ｏｃ１を画像生成部８０２に送信する。画像生成部８０２は、解除記号Ｏｃ１に基づいて、ロック解除画面Ｄ１２を生成する（ステップＳ１０３）。
【００４４】
ロック解除画面Ｄ１２を説明する。図８は、実施形態に係るロック解除画面Ｄ１２の一例を示す。なお、図８には、ユーザーの指によって描かれた入力パターンＴｒ１が示されている。ロック解除画面Ｄ１２は、複数個のガイドＧｕ１と、複数個の記号を有する。ガイドＧｕ１と記号は、上下及び左右に等間隔をあけて配列される。図８に示す記号は、数字Ｎｕｍ１である。図８に示すガイドＧｕ１は、それぞれ、中央が塗りつぶされた円である。各ガイドＧｕ１は、ユーザーがタッチスクリーン８１上で指を動かすときの目安となる点である。画像生成部８０２は、解除記号Ｏｃ１に含まれる記号の個数に対応して、決められた配列でガイドＧｕ１を並べたロック解除画面Ｄ１２を生成する。
【００４５】
ユーザーは、ガイドＧｕ１を繋ぐようにタッチスクリーン８１上で指を滑らせる。タッチスクリーン８１上で入力されたユーザーの指の軌跡が入力パターンＴｒ１である。入力パターンＴｒ１を入力する操作はロック解除操作に含まれる。図８は、５×７（縦×横）のマトリクス状にガイドＧｕ１を配列したロック解除画面Ｄ１２を示す。なお、図４は、ロック解除画面Ｄ１２が表示されたタッチスクリーン８１（操作パネル６）を示す。
【００４６】
図８に示すように、ガイドＧｕ１の「左上」、「右上」、「右下」及び「左下」の各々に記号Ｎｕｍ１が配置される。記号Ｎｕｍ１も上下及び左右に等間隔をあけて配列される。各記号Ｎｕｍ１と隣接するガイドＧｕ１の間隔はそれぞれ等しい。図８の各ガイドＧｕ１は、画面上に敷き詰めた同じ大きさの正方形の頂点の位置に配置されている。隣り合う正方形の辺同士は重なる。図８において、仮想的な正方形を破線で図示している。破線は表示されてもよいし、表示されなくてもよい。また、記号Ｎｕｍ１も画面上に敷き詰めた同じ大きさの正方形の頂点の位置に配置されている。記号Ｎｕｍ１の配列ピッチとガイドＧｕ１の配列ピッチは同じである。配列の位相が反ピッチずれている。そのため、各ガイドＧｕ１は、４個の記号Ｎｕｍ１に囲まれる。
【００４７】
処理部８０（画像生成部８０２）は、複数個のガイドＧｕ１のうち、１個のガイドを開始ガイドＧｕｓに設定する。画像生成部８０２は、ロック解除画面Ｄ１２の画像データを生成するごとに、開始ガイドＧｕｓの位置を異ならせてもよい。図８では、上から３番目、左から３番目のガイドが開始ガイドＧｕｓである。なお、図８において、他のガイドＧｕ１との区別のため、位置をわかりやすくするため、開始ガイドＧｕｓの周囲にはハッチングを施している（実際の画面にハッチングは無い）。
【００４８】
処理部８０（画像生成部８０２）は、解除記号Ｏｃ１の「７」、「９」、「３」及び「８」の記号を、開始ガイドＧｕｓの「左上」、「右上」、「右下」及び「左下」の順に配置する。処理部８０は、解除記号Ｏｃ１の配列と一致する配列が発生しないように、開始ガイドＧｕｓ以外のガイドＧｕ１の周囲に記号Ｎｕｍ１を配置する。
【００４９】
処理部８０（画像生成部８０２）は、以下のようにロック解除画面Ｄ１２の画像データを生成する。具体的に、画像生成部８０２は、同形状の正方形を敷き詰めたときの正方形の頂点となる位置に記号Ｎｕｍ１を配置する。画像生成部８０２は、正方形の中心にガイドＧｕ１を配置する。画像生成部８０２は、解除記号Ｏｃ１と同じ記号で開始ガイドＧｕｓを囲む。画像生成部８０２は、その他のガイドＧｕ１を囲む記号Ｎｕｍ１が解除記号Ｏｃ１と一致しないように記号Ｎｕｍ１を配列する。
【００５０】
処理部８０（画像生成部８０２）は、開始ガイドＧｕｓ以外のガイドＧｕ１の周囲に配する記号Ｎｕｍ１の数を認識する。具体的に、図８のロック解除画面Ｄ１２の場合、１行に８つの記号が配される。図８のロック解除画面Ｄ１２の場合、行数は６である。つまり、ロック解除画面Ｄ１２内に、処理部８０（画像生成部８０２）は、４８個の記号（数字）を含める。４８個のうち、４つは解除記号Ｏｃ１となる。処理部８０（画像生成部８０２）は、ロック解除画面Ｄ１に含める記号の総数から解除記号Ｏｃ１の記号数を減じて、記号Ｎｕｍ１の数（ダミー用の記号の数）を認識する。処理部８０（画像生成部８０２）は、それぞれのダミー用の記号Ｎｕｍ１の値（数字）を決定する。処理部８０（画像生成部８０２）は、予め定められたアルゴリズムで記号Ｎｕｍ１を決定する。決定される値（数字）が偏らないアルゴリズムが採用される。所定の手法により、ランダムに値を選ぶアルゴリズムが用いられる。そして、処理部８０（画像生成部８０２）は、ダミー用の記号Ｎｕｍ１の配置位置に、決定したダミー用の記号Ｎｕｍ１の値の何れか１つを配置する。これにより、各記号の配置位置が決定される。
【００５１】
これらにより、ユーザーは、ロック解除画面Ｄ１２の解除記号Ｏｃ１から開始ガイドＧｕｓを特定できる。図８では、開始ガイドＧｕｓの「左上」、「右上」、「右下」及び「左下」の順に、解除記号の１桁目の記号、２桁目の記号、３桁目の記号、４桁目の記号を配する例を説明している。しかし、配列手法はこれに限定されない。４ケタの解除記号は、開始ガイドＧｕｓの周りにランダムに配置されてもよい。ロック解除画面Ｄ１２では、解除記号Ｏｃ１を知っている場合、複数個のガイドＧｕ１から開始ガイドＧｕｓを識別することができる。
【００５２】
再び図７に戻ってロック解除の動作の説明を行う。画像生成部８０２は、ロック解除画面Ｄ１２の生成及び表示を行う。画像生成部８０２はステップＳ１０３で生成されたロック解除画面Ｄ１２を表示部８１１に表示させる（ステップＳ１０４）。画像生成部８０２は、ロック解除画面Ｄ１２で設定した開始ガイドＧｕｓの位置の情報をロック制御部８０１に渡す。なお、画像生成部８０２は、ロック解除画面Ｄ１２内に、解除パターンＯｐ１と同じ入力パターンＴｒ１を描画可能な位置に開始ガイドＧｕｓを設定する。
【００５３】
ロック解除要求後、ロック制御部８０１は、タッチスクリーン８１にユーザーの指が触れたか否か確認する（ステップＳ１０５）。タッチスクリーン８１へのユーザーの指のタッチを検出したとき、ロック制御部８０１は、ユーザーによる入力パターンＴｒ１の入力が開始されたと判断する。なお、タッチスクリーン８１にユーザーの指が触れたことでロック解除要求が行われた場合、ユーザーの指がタッチスクリーンに触れ続ける場合もある。その場合、ロック制御部８０１は、指をタッチスクリーン８１からいったん離すことを知らせるメッセージを表示部８１１に表示させてもよい。処理部８０は、接触から一定時間経過時点のタッチ位置をタッチスクリーン８１への入力パターンの入力の開始位置としてもよい。以下の説明では、ロック解除画面Ｄ１２の表示後、いったん離されたユーザーの指が、タッチスクリーン８１に接触する場合を想定して説明する。
【００５４】
タッチスクリーン８１へのユーザーの指のタッチが確認されるまで（ステップＳ１０５でＹｅｓになるまで）、ロック制御部８０１は待機する。そして、タッチスクリーン８１へのユーザーの指のタッチを検出したとき（ステップＳ１０５でＹｅｓ）、ロック制御部８０１は、ユーザーの指が接触した位置（ガイドＧｕ１：図８参照）及びたどった軌跡の情報を取得する（ステップＳ１０６）。なお、ロック制御部８０１は、一定時間ごとに指の接触位置及び軌跡の検出を行ってもよい。また、ロック制御部８０１は、ユーザーの指がガイドＧｕ１と接触する度に接触したガイドＧｕ１を検出し、直前に接触したガイドＧｕ１を繋いで軌跡としてもよい。ロック制御部８０１は、ユーザーの指が最初に触れたガイドＧｕ１を、入力パターンの最初のガイドＧｆｔとして記憶部８２に記憶させる。また、ロック制御部８０１は、ユーザーの指が辿ったガイドＧｕ１及びその軌跡を記憶部８２に記憶させる。ユーザーの指の軌跡は、ロック解除画面Ｄ１２が表示されたタッチスクリーン８１にユーザーが入力した入力パターンである。ロック制御部８０１は、ユーザーの指が触れるガイドとその軌跡を取得する。これにより、ロック制御部８０１は、ユーザーが入力した入力パターンを取得する。
【００５５】
ユーザーの指がタッチスクリーン８１から離れたか否か確認する（ステップＳ１０７）。ユーザーの指のタッチスクリーン８１への接触を検知している場合（ステップＳ１０７のＮｏ）、ロック制御部８０１は入力パターンＴｒ１の入力が継続中と判断する。フローはステップＳ１０６に戻る。
【００５６】
ユーザーの指がタッチスクリーン８１から離れたことを検知した場合（ステップＳ１０７のＹｅｓ）、ロック制御部８０１は、ユーザーによる入力パターンＴｒ１の入力が終了したと判断する。そして、ロック制御部８０１は、記憶部８２に記憶された軌跡（入力パターンＴｒ１）を取得する。また、ロック制御部８０１は、入力パターンの最初のガイドＧｆｔと画像生成部８０２から知らされた開始ガイドＧｕｓの位置が一致しているか否か確認する（ステップＳ１０８）。入力パターンの最初のガイドＧｆｔと開始ガイドＧｕｓとの位置が一致していない場合（ステップＳ１０８のＮｏ）、ロック制御部８０１は、ロック解除の操作に間違いがあると判断する。そして、ロック制御部８は、連続してロック解除の操作を間違った回数が所定回数以下であるか否か確認する（ステップＳ１０９）。所定回数は予め定められる。例えば、所定回数は５回である。
【００５７】
所定回数連続して間違っていない場合（ステップＳ１０９のＹｅｓ）、ロック制御部８０１は、やり直し表示画面Ｅ１（図９参照）をタッチスクリーン８１に表示させる（ステップＳ１１０）。やり直し表示画面Ｅ１の画像データは予め用意されている。図９は、実施形態に係るやり直し表示画面の一例を示す図である。図９に示すように、やり直し表示画面Ｅ１は、ロック解除が間違っていることを告げるメッセージＭｓ１を含む。また、やり直し表示画面Ｅ１は、連続して間違った回数が６回になると動作不能になる注意のメッセージＭｓ２を含む。その後、ロック制御部８０１は、ロック解除画面Ｄ１２を表示させる（ステップＳ１０４に戻る）。入力パターンの検出が再開される。
【００５８】
所定回数連続して間違った場合（ステップＳ１０９のＮｏ）、ロック制御部８０１は、ロック解除不可表示画面Ｅ２（図１０参照）をタッチスクリーン８１に表示させる（ステップＳ１１１）。ロック解除不可表示画面Ｅ２は予め用意される。図１０は、実施形態に係るロック解除不可表示画面の一例を示す図である。図１０に示すように、ロック解除不可表示画面Ｅ２は、ロック解除の操作を連続して６回間違ったため、一定期間ロック解除ができなくなることを告げるメッセージＭｓ３を含む。一定期間は予め定められる。その後、ロック制御部８０１は、ロック解除の処理を終了する（エンド）。
【００５９】
また、入力パターンの最初のガイドＧｆｔと開始ガイドＧｕｓとが一致した場合（ステップＳ１０８のＹｅｓ）、ロック制御部８０１は、取得した入力パターンＴｒ１と、予め記憶されている解除パターンＯｐ１とが一致しているか否か確認する（ステップＳ１１２）。なお、入力パターンＴｒ１は、接触しているガイドとその前に接触したガイドとの相対的な移動の軌跡に基づいて決定される。そして、ロック制御部８０１は、相対的な移動の軌跡を入力パターンＴｒ１とし、解除パターンＯｐ１と比較する。
【００６０】
入力パターンＴｒ１と解除パターンＯｐ１とが一致しない場合（ステップＳ１１２のＮｏ）、フローはステップＳ１０９に進む。ロック解除の操作の連続間違い回数基づいて次の動作を決定する。なお、ステップＳ１０９の動作は、上述のとおりであるため、詳細は省略する。入力パターンＴｒ１と解除パターンＯｐ１とが一致する場合（ステップＳ１１２のＹｅｓ）、ロック制御部８０１は、ロックを解除する（ステップＳ１１３）。
【００６１】
以上のように、処理部８０（画像生成部８０２）は、ガイドＧｕ１と記号Ｎｕｍ１をタッチスクリーン８１に複数個表示させる。処理部８０は、一つのガイドが開始ガイドＧｕｓに設定されたロック解除画面Ｄ１２を表示させる。開始ガイドＧｕｓのみが、解除記号Ｏｃ１で囲まれる。そのため、解除記号Ｏｃ１を知っているユーザーのみが開始ガイドＧｕｓを判別可能である。画像生成部８０２は、毎回、開始ガイドＧｕｓの位置を変える。そして、開始ガイドＧｕｓを入力パターンの最初のガイドＧｆｔとして入力された入力パターンＴｒ１が解除パターンＯｐ１と一致したときに、タッチ制御装置８のロックが解除される。
【００６２】
以上のことから、入力パターンの最初のガイドＧｆｔと開始ガイドＧｕｓとが一致するか否かに基づき、ロック制御部８０１は、解除記号を知っているユーザーであるか否か判断する。また、入力パターンＴｒ１と解除パターンＯｐ１とが一致するか否かに基づき、ロック制御部８０１は、解除パターンを知っているユーザーであるか否か判断する。解除記号と、ガイドを繋いで描かれる解除パターンの両方を知っているユーザーのみがロックを解除できる。これにより、解除パターンのみでロックを解除できる従来のロック解除方法に比べて、安全性を高めることが可能である。
【００６３】
なお、ロック解除操作の連続間違いの許容回数を５回とする例を説明した。許容回数は予め決められたものでもよい。また、許容回数は５回に限られない。ユーザーが許容回数を決めてもよい。また、所定回数連続して間違ったとき、ロック解除操作が不可となる時間を３０分とする例を説明した。しかし、３０分に限られない。安全性が多少低くても問題がない機器では、解除操作不可時間は３０分より短くてもよい。また、高い安全性を必要とする機器では、解除操作不可時間が３０分より長くてもよい。
【００６４】
また、本発明のタッチ操作装置８（操作パネル６）を例に説明した。しかし、タッチ操作装置８は、操作パネル６に限定されない。タッチ操作装置８は、タッチスクリーンを入力装置として備えた電子機器のタッチ操作装置として利用可能である。このような電子機器の一例は、スマートフォン、タブレットＰＣである。また、電子機器にタッチ操作装置８をそのまま組み付けてもよい。また、本発明のタッチ操作装置８のロック解除方法（図５、図７の動作）をプログラムとして、電子機器に供給してもよい。
【００６５】
（第１変形例）
本発明にかかるロック解除装置８の変形例について図面を参照して説明する。図１１は、第１変形例に係るロック解除画面Ｄ１２１の一例を示す図である。
【００６６】
図１１は、文字を記号として含むロック解除画面Ｄ１２１の一例を示す。上述の実施形態では、数字を記号としてロック解除画面Ｄ１２に含める例を説明した。図１１に示すように、数字だけでなく、アルファベットの記号Ｃｈｒ１が含まれてもよい。
【００６７】
処理部８０（画像生成部８０２）は、開始ガイドＧｕｓ以外のガイドＧｕ１の周囲に配する記号Ｃｈｒ１の数を認識する。具体的に、図８のロック解除画面Ｄ１２の場合、処理部８０（画像生成部８０２）は、４８個の記号（数字又はアルファベット）を含める。４８個のうち、４つは解除記号Ｏｃ１となる。処理部８０（画像生成部８０２）は、ロック解除画面Ｄ１に含める記号の総数から解除記号Ｏｃ１の記号数を減じて、記号Ｃｈｒ１の数（ダミー用の記号の数）を認識する。処理部８０（画像生成部８０２）は、それぞれのダミー用の記号Ｃｈｒ１の値を決定する。値は、１桁の数字又はアルファベットである。処理部８０（画像生成部８０２）は、予め定められたアルゴリズムで記号Ｃｈｒ１を決定する。決定される値（数字）が偏らないアルゴリズムが採用される。そして、処理部８０（画像生成部８０２）は、ダミー用の記号Ｃｈｒ１の配置位置に、決定したダミー用の記号Ｃｈｒ１の値の何れか１つを配置する。これにより、各記号の配置位置が決定される。処理部８０（画像生成部８０２）は、解除記号Ｏｃ１と記号Ｃｈｒ１を含むロック解除画面Ｄ１２の画像データを生成する。
【００６８】
記号Ｃｈｒ１にアルファベットを含むことで、４文字からなる解除記号Ｏｃ１の組合せが多くなる。従って、安全性をより高めることができる。なお、記号Ｃｈｒ１は、アルファベット及び数字に限定されない。例えば、記号Ｃｈｒ１は、日本語（ひらがな、かたかな）を含んでもよい。また、各国独自の文字が利用されてもよい。文字以外の記号が用いられてもよい。
【００６９】
（第２変形例）
第２変形例に係るタッチ操作装置８の一例を説明する。なお、第２変形例のタッチ操作装置８の構成は、実施形態のタッチ操作装置８の構成と同じである。そのため、各部の名称及び符号には、実施形態と同じものを用いる。同じ部分の詳細な説明は省略する。図１２は、第２変形例に係るタッチ操作装置８のロック解除操作の一例を示す図である。
【００７０】
タッチ操作装置８では、解除記号Ｏｃ１と解除パターンＯｐ１との組合せることで、ロック解除が可能である。そのため、不許可のユーザーによるロック解除の危険性が低い。しかし、ロック解除の操作時にタッチスクリーン８１を見られると、解除記号Ｏｃ１が確認されてしまう虞がある。
【００７１】
そこで、第２変形例に係るロック解除操作では、ロック解除画面Ｄ１２を表示（ステップＳ１０４）してからタッチを検出した後（ステップＳ１０５でＹｅｓの後）、処理部８０（ロック制御部８０１）は、ロック解除画面Ｄ１２から、記号Ｎｕｍ１を非表示にする（ステップＳ２０１）。なお、処理部８０（ロック制御部８０１）は、ガイドＧｕ１は表示させる。入力パターンＴｒ１の開始位置を囲む解除記号Ｏｃ１も非表示となる。記号Ｎｕｍ１の非表示により、ロック解除操作を他人に見られても、解除記号Ｏｃ１は視認されない。これにより、ロック解除の安全性をさらに高めることが可能である。
【００７２】
なお、第２変形例では、ロック解除の操作のやり直しを行う場合（ステップＳ１１０）、ステップＳ１０４に戻る。ロック解除画面Ｄ１２の表示が再開される。これに限定されず、処理部８０（画像生成部８０２）は、ロック解除画面Ｄ１２の生成（ステップＳ１０３）から再開してもよい。この時、画像生成部８０２は、開始ガイドＧｕｓの位置を変更する。また、画像生成部８０２は記号Ｎｕｍ１も変更してもよい。これにより、ロック解除の安全性をさらに高めることが可能である。これ以外の特徴については、実施形態と同じである。
【００７３】
（第３変形例）
第３変形例に係るタッチ操作装置８の一例を説明する。第３変形例のタッチ操作装置８の構成は、実施形態のタッチ操作装置８の構成と同じである。そのため、基本的に実施形態と同じ名称及び符号を用いている。同じ部分の詳細な説明は省略する。図１３は、第３変形例に係る登録画面の一例を示す図である。図１４は、第３変形例に係るロック解除画面の一例を示す図である。
【００７４】
上述の実施形態及び変形例では、解除記号Ｏｃ１として４個の記号（数字）を組合せる例を説明した。図１３に示すように、３個の記号の組合せが解除記号Ｏｃ１に用いられてもよい。
【００７５】
図１３に示す登録画面Ｄ２１は、入力部ＩＣＢと、登録用ガイドＩＰ２を含む。入力部ＩＣＢは、解除記号Ｏｃ２を入力するためのテキストボックスである。登録用ガイドＩＰ２は、解除パターンＯｐ２を入力するための部分である。第３変形例では、ロック解除用の解除記号Ｏｃ２を３ケタの数字することができる。図１３は、「８４５」を解除記号Ｏｃ２として登録する例を示す。
【００７６】
登録用ガイドＩＰ２は、隙間なく並べられた３個の正六角形の各頂点にあたる位置にガイドＧｕ２を配置した形状を有する。隣の正六角形と２つの頂点が重なるように、ガイドＧｕ２が配される。図１３、１４において、仮想的な正六角形を破線で図示している。破線は表示されてもよいし、表示されなくてもよい。ユーザーは、タッチスクリーン８１上を指でなぞる。ユーザーはガイドＧｕ２を繋ぐ。ユーザーは、指の軌跡を解除パターンＯｐ２としてタッチスクリーン８１に入力（生成）する。なお、登録画面Ｄ２１は一例である。解除記号及び解除パターンの登録が可能な構成を広く採用することが可能である。
【００７７】
画像生成部８０２は、隙間なく並べた（１辺を重ねた）正六角形の各頂点にあたる位置にガイドＧｕ２を配置したロック解除画面Ｄ２２（の画像データ）を生成する。画像生成部８０２は、正六角形の中心位置に記号Ｎｕｍ２を配置したロック解除画面Ｄ２２（の画像データ）を生成する。換言すると、隙間なく並べられた正三角形の各頂点にあたる位置に記号Ｎｕｍ２が配置される。正三角形の中心にあたる位置に、ガイドＧｕ２が配置される。画像生成部８０２は、複数個のガイドＧｕ２のうち１個を開始ガイドＧｕｓとする。画像生成部８０２は、ロック解除画面Ｄ２２の画像データを生成するごとに、開始ガイドＧｕｓの位置を異ならせてもよい。画像生成部８０２は、開始ガイドＧｕｓを囲む３個の記号が解除記号Ｏｃ２と一致するロック解除画面Ｄ２２（の画像データ）を生成する。
【００７８】
処理部８０（画像生成部８０２）は、開始ガイドＧｕｓ以外のガイドＧｕ２の周囲に配する記号Ｎｕｍ２の数を認識する。具体的に、図１４のロック解除画面Ｄ２２の場合、処理部８０（画像生成部８０２）は、２８個の記号（数字）を含める。２８個のうち、３つは解除記号Ｏｃ１となる。処理部８０（画像生成部８０２）は、ロック解除画面Ｄ２２に含める記号の総数から解除記号Ｏｃ１の記号数を減じて、記号Ｎｕｍ２の数（ダミー用の記号の数）を認識する。処理部８０（画像生成部８０２）は、それぞれのダミー用の記号Ｎｕｍ２の値を決定する。値は１桁の数字である。処理部８０（画像生成部８０２）は、予め定められたアルゴリズムで記号Ｎｕｍ２を決定する。決定される値（数字）が偏らないアルゴリズムが採用される。そして、処理部８０（画像生成部８０２）は、ダミー用の記号Ｎｕｍ２の配置位置に、決定したダミー用の記号Ｎｕｍ２の値の何れか１つを配置する。これにより、各記号の配置位置が決定される。処理部８０（画像生成部８０２）は、解除記号Ｏｃ１と記号Ｎｕｍ２を含むロック解除画面Ｄ２２の画像データを生成する。このように、３個の記号の組合せた解除記号を用いる場合でも、ロック解除操作の安全性を高めることができる。これ以外の特徴については、第１実施形態と同じである。
【００７９】
（第４変形例）
第４変形例に係るタッチ操作装置８の一例を説明する。なお、第４変形例のタッチ操作装置８の構成は、実施形態のタッチ操作装置８の構成と同じである。そのため、基本的に実施形態と同じ名称及び符号を用いている。同じ部分の詳細な説明は省略する。図１５は、第４変形例に係る登録画面の一例を示す図である。図１６は、第４変形例に係るロック解除画面の一例を示す図である。
【００８０】
上述の実施形態及び変形例では、４個の記号（数字）の組合せを解除記号Ｏｃ１として用いる例を説明した。図１５に示すように、６個の記号の組合せを用いてもよい。
【００８１】
図１５に示す登録画面Ｄ３１は、入力部ＩＣＢと、登録用ガイドＩＰ３を含む。入力部ＩＣＢは、解除記号Ｏｃ３を入力するためのテキストボックスである。登録用ガイドＩＰ３は、解除パターンＯｐ３を入力する部分である。図１５は、ロック解除用の解除記号Ｏｃ３を６ケタの数字とする例を示す。図１５は、「１８４０６」を解除記号Ｏｃ３として登録する例を示す。
【００８２】
また、登録用ガイドＩＰ３は、隙間なく並べた（隣接する正三角形と一辺を重ねるように並べた）正三角形の各頂点にあたる位置に配されたガイドＧｕ３を含む。図１５、１６において、仮想的な正三角形を破線で図示している。ユーザーは、タッチスクリーン８１上を指でなぞる。ユーザーは、ガイドＧｕ３を繋ぐようになぞる。ユーザーは、ガイドＧｕ３を繋ぐ軌跡を解除パターンＯｐ３として入力（生成）する。なお、登録画面Ｄ３１は一例である。解除記号及び解除パターンの登録が可能な構成を広く採用することが可能である。
【００８３】
そして、画像生成部８０２は、隙間なく並べた正三角形の各頂点にあたる位置にガイドＧｕ３を配置したロック解除画面Ｄ３２（の画像データ）を生成する。正三角形の一辺は、隣接する正三角形の一辺と重なり合う。画像生成部８０２は、正三角形の中心にあたる位置に記号Ｎｕｍ３を配置したロック解除画面Ｄ３２（の画像データ）を生成する。換言すると、隙間なく並べられた正六角形の各頂点にあたる位置に記号Ｎｕｍ３が配置される。正六角形の中心にあたる位置に、ガイドＧｕ３が配置される。画像生成部８０２は、複数個のガイドＧｕ２３うち１個を開始ガイドＧｕｓとするロック解除画面Ｄ３２（の画像データ）を生成する。画像生成部８０２は、ロック解除画面Ｄ３２の画像データを生成するごとに、開始ガイドＧｕｓの位置を異ならせてもよい。画像生成部８０２は、開始ガイドＧｕｓを囲む６個の記号を解除記号Ｏｃ３とするロック解除画面Ｄ３２（の画像データ）を生成する。
【００８４】
処理部８０（画像生成部８０２）は、開始ガイドＧｕｓ以外のガイドＧｕ３の周囲に配する記号Ｎｕｍ３の数を認識する。具体的に、図１４のロック解除画面Ｄ３２の場合、処理部８０（画像生成部８０２）は、２８個の記号（数字）を含める。２８個のうち、３つは解除記号Ｏｃ１となる。処理部８０（画像生成部８０２）は、ロック解除画面Ｄ３２に含める記号の総数から解除記号Ｏｃ１の記号数を減じて、記号Ｎｕｍ３の数（ダミー用の記号の数）を認識する。処理部８０（画像生成部８０２）は、それぞれのダミー用の記号Ｎｕｍ３の値を決定する。値は１桁の数字である。処理部８０（画像生成部８０２）は、予め定められたアルゴリズムで記号Ｎｕｍ３を決定する。決定される値（数字）が偏らないアルゴリズムが採用される。そして、処理部８０（画像生成部８０２）は、ダミー用の記号Ｎｕｍ３の配置位置に、決定したダミー用の記号Ｎｕｍ３の値の何れか１つを配置する。これにより、各記号の配置位置が決定される。処理部８０（画像生成部８０２）は、解除記号Ｏｃ１と記号Ｎｕｍ３を含むロック解除画面Ｄ３２の画像データを生成する。このように、６個の記号の組合せた解除記号を用いる場合でも、ロック解除操作の安全性を高めることができる。これ以外の特徴については、第１実施形態と同じである。
【００８５】
なお、３個の記号の組合せ（３ケタの数字）、４個の記号の組合せ（４ケタの数字）及び６個の記号の組合せのいずれかを解除記号として、記憶することが可能である。解除記号に合わせて、処理部８０（ロック制御部８０１）は、ロック解除画面を切り替えてもよい。例えば、ユーザーが記号の個数を設定してもよい。解除記号に含まれる記号の個数により、解除される機能に差がある（アクセスできる機能に制限を設ける）ようにしてもよい。
【００８６】
（第５変形例）
第５変形例に係るタッチ操作装置８の一例を説明する。なお、第５変形例のタッチ操作装置８の構成は、実施形態のタッチ操作装置８の構成と同じである。そのため、基本的に実施形態と同じ名称及び符号を用いている。同じ部分の詳細な説明は省略する。図１７は、第５変形例に係る登録画面Ｄ４１の一例を示す図である。図１８は、第５変形例に係るロック解除画面Ｄ４２の一例を示す図である。
【００８７】
図１７は、登録画面Ｄ４１の一例を示す。登録画面Ｄ４１は、上述の実施形態及び各変形例と同様に、解除記号Ｏｃ１と、解除パターンＯｐ１を登録するための画面である。図１７は実施形態と同様に、４桁の数字を入力するタイプの登録画面Ｄ４１を示している。第５変形例は、実施形態、第２〜第４変形例に適用できる。
【００８８】
タッチ操作装置８は、解除記号Ｏｃ１と、解除パターンＯｐ１の入力を受け付ける。入力手法は、上述の実施形態及び各変形例と同様である。処理部８０（ロック制御部８０１）は、入力された解除記号Ｏｃ１を記憶部８２に記憶させる。処理部８０（ロック制御部８０１）は、入力された解除パターンＯｐ１を記憶部８２に記憶させる。
【００８９】
登録画面Ｄ４１には、特定記号入力部ＩＮＢが設けられる。例えば、特定記号入力部ＩＮＢをタッチしたとき、処理部８０は、記号を入力するためのソフトウェアキーボードを表示部８１１に表示させる。記号入力は、タッチスクリーン８１を用いて行われる。記号入力は、ハードキー６１を用いて行われてもよい。このように、タッチスクリーン８１は、特定記号Ｃ０を選択する操作を受け付ける。ユーザーは所望の記号を特定記号Ｃ０に設定することができる。例えば、自分がラッキーと思う記号を特定記号Ｃ０に設定することができる。そして、画像生成部８０２は、タッチスクリーン８１での選択された記号を特定記号Ｃ０を認識する。
【００９０】
特定記号Ｃ０は、入力された解除記号Ｏｃ１のうち、何れか１つの記号である。ユーザーは、複数桁の解除記号Ｏｃ１のうち、先頭の記号を特定記号Ｃ０としてもよい。ユーザーは、複数桁の解除記号Ｏｃ１のうち、最後の記号を特定記号Ｃ０としてもよい。また、ユーザーは、複数桁の解除記号Ｏｃ１のうち、先頭の記号と最後の記号の間の記号の何れかを特定記号Ｃ０としてもよい。図１７は、解除記号Ｏｃ１のうち、先頭の「７」を特定記号Ｃ０として登録する例を示す。処理部８０（ロック制御部８０１）は、入力された特定記号Ｃ０を記憶部８２に記憶させる。
【００９１】
ロック状態でロック解除の要求があった場合、ロック制御部８０１は、解除パターンデータ８２１と解除記号データ８２２から、解除パターンＯｐ１及び解除記号Ｏｃ１を呼び出す。また、ロック制御部８０１は、記憶された（登録されている）特定記号Ｃ０を呼び出す。ロック制御部８０１は、解除記号Ｏｃ１、特定記号Ｃ０を画像生成部８０２に送信する。これにより、画像生成部８０２は、解除記号Ｏｃ１に含まれる特定記号Ｃ０を認識する。画像生成部８０２は、解除記号Ｏｃ１と特定記号Ｃ０に基づいて、ロック解除画面Ｄ１２を生成する。
【００９２】
図１８は、第５変形例に係る画像生成部８０２が生成するロック解除画面Ｄ４２の一例を示す。図１８に示すように、処理部８０（画像生成部）は特定記号Ｃ０を１つのみ含み、開始ガイドＧｕｓの周囲に特定記号Ｃ０を配置したロック解除画面Ｄ４２を生成する。
【００９３】
各ガイドＧｕ１と、解除記号Ｏｃ１と、各記号Ｎｕｍ１（解除記号Ｏｃ１以外の記号）の配列は、実施形態と同様である。図１８において、仮想的な正方形を破線で図示している。破線は表示されてもよいし、表示されなくてもよい。
【００９４】
処理部８０（画像生成部８０２）は、複数個のガイドＧｕ１のうち、１個のガイドを開始ガイドＧｕｓに設定する。画像生成部８０２は、ロック解除画面Ｄ４２の画像データを生成するごとに、開始ガイドＧｕｓの位置を異ならせてもよい。図１８では、上から３番目、左から３番目のガイドが開始ガイドＧｕｓである。なお、図１８において、位置をわかりやすくするため、開始ガイドＧｕｓの周囲にはハッチングを施している（実際の画面にハッチングは無い）。
【００９５】
実施形態と同様に、処理部８０（画像生成部８０２）は、解除記号Ｏｃ１の「７」、「９」、「３」及び「８」の記号を、開始ガイドＧｕｓの「左上」、「右上」、「右下」及び「左下」の順に配置する。処理部８０（画像生成部８０２）は、解除記号Ｏｃ１における特定記号Ｃ０の順番に応じて、開始ガイドＧｕｓの周囲に特定記号Ｃ０を配置する。
【００９６】
処理部８０（画像生成部８０２）は、開始ガイドＧｕｓ以外のガイドＧｕ１の周囲に配する記号Ｎｕｍ１の数を認識する。図１８のロック解除画面Ｄ４２の場合、処理部８０（画像生成部８０２）は、４８個の記号（数字）を含める。４８個のうち、４つは解除記号Ｏｃ１となる。処理部８０（画像生成部８０２）は、ロック解除画面Ｄ１に含める記号の総数から解除記号Ｏｃ１の記号数を減じて、記号Ｎｕｍ１の数（ダミー用の記号の数）を認識する。
【００９７】
処理部８０（画像生成部８０２）は、それぞれのダミー用の記号Ｎｕｍ１の値（数字）を決定する。処理部８０（画像生成部８０２）は、予め定められたアルゴリズムで記号Ｎｕｍ１を決定する。決定される値（数字）が偏らないアルゴリズムが採用される。所定の手法により、ランダムに値を選ぶアルゴリズムが用いられる。ここで、処理部８０（画像生成部８０２）は、ダミー用の記号Ｎｕｍ１の値（数字）を、特定記号Ｃ０と同じ値にならないようにする。そして、処理部８０（画像生成部８０２）は、ダミー用の記号Ｎｕｍ１の配置位置に、決定したダミー用の記号Ｎｕｍ１の値の何れか１つを配置する。これにより、各記号の配置位置が決定される。
【００９８】
以上のプロセスを経て、処理部８０（画像生成部８０２）は、以下のようにロック解除画面Ｄ４２の画像データを生成する。画像生成部８０２は、同形状の正方形を敷き詰めたときの正方形の頂点となる位置に記号Ｎｕｍ１を配置する。画像生成部８０２は、正方形の中心にガイドＧｕ１を配置する。画像生成部８０２は、解除記号Ｏｃ１と同じ記号で開始ガイドＧｕｓを囲む。画像生成部８０２は、その他のガイドＧｕ１を囲む記号Ｎｕｍ１が解除記号Ｏｃ１と一致させない。画像生成部８０２は、ロック解除画面Ｄ４２に特定記号Ｃ０を１つのみ含める。以降、使用者による入力パターンＴｒ１の入力が行われる。実施形態と同様のロックの解除処理が行われる。
【００９９】
解除記号Ｏｃ１に含まれる記号がロック解除画面Ｄ４２に複数含まれる場合、開始ガイドＧｕｓを探し出しづらいことがある。特定記号Ｃ０は１つのみなので、開始ガイドＧｕｓを容易に見つけることができる。
【０１００】
なお、解除記号Ｏｃ１が特定記号Ｃ０と同じ記号を複数含む場合がある。例えば、解除記号Ｏｃ１が「１８１１」であり、特定記号Ｃ０が先頭の「１」の場合、この解除記号Ｏｃ１は、特定記号Ｃ０と同じ記号を合計３つ含む。この場合、開始ガイドＧｕｓを解除記号Ｏｃ１で囲むには、ロック解除画面Ｄ４２に特定記号Ｃ０を複数含める必要がある。
【０１０１】
そこで、処理部８０（画像生成部８０２）は、解除記号Ｏｃ１に含まれる特定記号Ｃ０と同じ記号の数である同一記号数を認識する。処理部８０（画像生成部８０２）は、特定記号Ｃ０を同一記号数と同じ数だけ含み、開始ガイドＧｕｓの周囲に特定記号Ｃ０を配置したロック解除画面Ｄ４２の画像データを生成する。例えば、解除記号Ｏｃ１は、特定記号Ｃ０と同じ記号を合計２つ含むとき、画像生成部８０２は、特定記号Ｃ０を２つ含むロック解除画面Ｄ４２の画像データを生成する。なお、同一記号数が１のとき、画像生成部８０２は、ロック解除画面Ｄ４２に特定記号Ｃ０を１つのみ含める。言い換えると、解除記号Ｏｃ１が特定記号Ｃ０と同じ記号を含まないとき、画像生成部８０２は、ロック解除画面Ｄ４２に特定記号Ｃ０を１つのみ含める。
【０１０２】
なお、特定記号入力部ＩＮＢで特定記号Ｃ０が設定されていない場合、処理部８０（画像生成部８０２）は、解除記号Ｏｃ１に含まれる各記号を複数含むロック解除画面Ｄ４２の画像データを生成する。つまり、特定記号入力部ＩＮＢに特定記号Ｃ０を入力するか否かにより、ロック解除画面Ｄ４２に特定記号Ｃ０を１つのみ含めるか否かを選択することができる。
【０１０３】
（第６変形例）
第６変形例に係るタッチ操作装置８の一例を説明する。なお、第６変形例のタッチ操作装置８の構成は、実施形態のタッチ操作装置８の構成と同じである。そのため、基本的に実施形態と同じ名称及び符号を用いている。同じ部分の詳細な説明は省略する。図１９は、第６変形例に係る登録画面Ｄ５１の一例を示す図である。図２０は、第６変形例に係るロック解除画面Ｄ５２の一例を示す図である。
【０１０４】
図１９は、登録画面Ｄ５１の一例を示す。登録画面Ｄ５１は、上述の実施形態及び各変形例と同様に、解除記号Ｏｃ１と、解除パターンＯｐ１を登録するための画面である。図１９は実施形態と同様に、４桁の数字を入力するタイプの登録画面Ｄ５１を示している。第６変形例は、実施形態、第２〜第４変形例に適用できる。
【０１０５】
タッチ操作装置８は、解除記号Ｏｃ１と、解除パターンＯｐ１の入力を受け付ける。入力手法は、上述の実施形態及び各変形例と同様である。処理部８０（ロック制御部８０１）は、入力された解除記号Ｏｃ１を記憶部８２に記憶させる。処理部８０（ロック制御部８０１）は、入力された解除パターンＯｐ１を記憶部８２に記憶させる。
【０１０６】
登録画面Ｄ５１には、第１特定記号入力部ＩＮ１と第２特定記号入力部ＩＮ２が設けられる。例えば、第１特定記号入力部ＩＮ１がタッチされたとき、処理部８０は、記号を入力するためのソフトウェアキーボードを表示部８１１に表示させる。また、第２特定記号入力部ＩＮ２がタッチされたときも、処理部８０は、記号を入力するためのソフトウェアキーボードを表示部８１１に表示させる。記号入力は、タッチスクリーン８１を用いて行われる。記号入力は、ハードキー６１を用いて行われてもよい。このように、タッチスクリーン８１は、第１特定記号Ｃ１と第２特定記号Ｃ２を選択する操作を受け付ける。ユーザーは所望の記号を第１特定記号Ｃ１と第２特定記号Ｃ２に設定することができる。そして、画像生成部８０２は、タッチスクリーン８１での選択された記号を第１特定記号Ｃ１と認識する。また、画像生成部８０２は、タッチスクリーン８１での選択された記号を第２特定記号Ｃ２と認識する。
【０１０７】
第１特定記号Ｃ１は、入力された解除記号Ｏｃ１のうち、何れか１つの記号である。と第２特定記号Ｃ２も入力された解除記号Ｏｃ１のうち、何れか１つの記号である。但し、第１特定記号Ｃ１と第２特定記号Ｃ２は異なる記号である。図１９は、解除記号Ｏｃ１のうち、先頭の「７」を第１特定記号Ｃ１として登録する例を示す。また、解除記号Ｏｃ１のうち、２番目の「９」を第２特定記号Ｃ２として登録する例を示す。処理部８０（ロック制御部８０１）は、入力された第１特定記号Ｃ１と第２特定記号Ｃ２を記憶部８２に記憶させる。
【０１０８】
ロック状態でロック解除の要求があった場合、ロック制御部８０１は、解除パターンデータ８２１と解除記号データ８２２から、解除パターンＯｐ１及び解除記号Ｏｃ１を呼び出す。また、ロック制御部８０１は、記憶された（登録されている）第１特定記号Ｃ１と第２特定記号Ｃ２を呼び出す。ロック制御部８０１は、解除記号Ｏｃ１、第１特定記号Ｃ１、第２特定記号Ｃ２を画像生成部８０２に送信する。これにより、画像生成部８０２は、解除記号Ｏｃ１に含まれる第１特定記号Ｃ１と第２特定記号Ｃ２を認識する。画像生成部８０２は、解除記号Ｏｃ１、第１特定記号Ｃ１及び第２特定記号Ｃ２に基づいて、ロック解除画面Ｄ１２を生成する。
【０１０９】
図２０は、第６変形例に係る画像生成部８０２が生成するロック解除画面Ｄ５２の一例を示す。図２０に示すように、処理部８０（画像生成部）は、第１特定記号Ｃ１と第２特定記号Ｃ２が隣り合う特定記号配列部分Ｃ３を１つのみ含み、開始ガイドＧｕｓの周囲に第１特定記号Ｃ１と第２特定記号Ｃ２を配置したロック解除画面Ｄ５２を生成する。
【０１１０】
各ガイドＧｕ１と、解除記号Ｏｃ１と、各記号Ｎｕｍ１（解除記号Ｏｃ１以外の記号）の配列は、実施形態と同様である。図２０において、仮想的な正方形を破線で図示している。破線は表示されてもよいし、表示されなくてもよい。
【０１１１】
処理部８０（画像生成部８０２）は、複数個のガイドＧｕ１のうち、１個のガイドを開始ガイドＧｕｓに設定する。画像生成部８０２は、ロック解除画面Ｄ５２の画像データを生成するごとに、開始ガイドＧｕｓの位置を異ならせてもよい。図２０では、上から３番目、左から３番目のガイドが開始ガイドＧｕｓである。なお、図２０において、位置をわかりやすくするため、開始ガイドＧｕｓの周囲にはハッチングを施している（実際の画面にハッチングは無い）。
【０１１２】
実施形態と同様に、処理部８０（画像生成部８０２）は、解除記号Ｏｃ１の「７」、「９」、「３」及び「８」の記号を、開始ガイドＧｕｓの「左上」、「右上」、「右下」及び「左下」の順に配置する。処理部８０（画像生成部８０２）は、解除記号Ｏｃ１における第１特定記号Ｃ１と第２特定記号Ｃ２の順番に応じて、開始ガイドＧｕｓの周囲に第１特定記号Ｃ１と第２特定記号Ｃ２を配置する。
【０１１３】
処理部８０（画像生成部８０２）は、開始ガイドＧｕｓ以外のガイドＧｕ１の周囲に配する記号Ｎｕｍ１の数を認識する。図２０のロック解除画面Ｄ５２の場合、処理部８０（画像生成部８０２）は、４８個の記号（数字）を含める。４８個のうち、４つは解除記号Ｏｃ１となる。処理部８０（画像生成部８０２）は、ロック解除画面Ｄ１に含める記号の総数から解除記号Ｏｃ１の記号数を減じて、記号Ｎｕｍ１の数（ダミー用の記号の数）を認識する。
【０１１４】
処理部８０（画像生成部８０２）は、それぞれのダミー用の記号Ｎｕｍ１の値（数字）を決定する。処理部８０（画像生成部８０２）は、予め定められたアルゴリズムで記号Ｎｕｍ１を決定する。決定される値（数字）が偏らないアルゴリズムが採用される。所定の手法により、ランダムに値を選ぶアルゴリズムが用いられる。ここで、処理部８０（画像生成部８０２）は、第１特定記号Ｃ１と第２特定記号Ｃ２が縦方向又は横方向で隣り合わないようにする。そして、処理部８０（画像生成部８０２）は、ダミー用の記号Ｎｕｍ１の配置位置に、決定したダミー用の記号Ｎｕｍ１の値の何れか１つを配置する。これにより、各記号の配置位置が決定される。
【０１１５】
以上のプロセスを経て、処理部８０（画像生成部８０２）は、以下のようにロック解除画面Ｄ５２の画像データを生成する。画像生成部８０２は、同形状の正方形を敷き詰めたときの正方形の頂点となる位置に記号Ｎｕｍ１を配置する。画像生成部８０２は、正方形の中心にガイドＧｕ１を配置する。画像生成部８０２は、解除記号Ｏｃ１と同じ記号で開始ガイドＧｕｓを囲む。画像生成部８０２は、第１特定記号Ｃ１と第２特定記号Ｃ２が隣り合う特定記号配列部分Ｃ３を１つのみ含む画像データを生成する。以降、使用者による入力パターンＴｒ１の入力が行われる。実施形態と同様のロックの解除処理が行われる。
【０１１６】
解除記号Ｏｃ１に含まれる記号がロック解除画面Ｄ５２に複数含まれる場合、開始ガイドＧｕｓを探し出しづらいことがある。特定記号配列部分Ｃ３を１つだけ含むようにロック解除画面Ｄ５２の画像データが生成される。これにより、ロック解除画面Ｄ５２に含まれる特定記号配列部分Ｃ３は１つのみとなる。第１特定記号Ｃ１と第２特定記号Ｃ２の組み合わせを探すことにより、開始ガイドＧｕｓを見つけやすくすることができる。
【０１１７】
なお、第１特定記号入力部ＩＮ１と第２特定記号入力部ＩＮ２で第１特定記号Ｃ１と第２特定記号Ｃ２が設定されていない場合、処理部８０（画像生成部８０２）は、解除記号Ｏｃ１に含まれる各記号を複数含むロック解除画面Ｄ５２の画像データを生成する。つまり、第１特定記号入力部ＩＮ１と第２特定記号入力部ＩＮ２に第１特定記号Ｃ１と第２特定記号Ｃ２を入力するか否かにより、ロック解除画面Ｄ５２に特定記号配列部分Ｃ３を１つのみ含めるか否かを選択することができる。
【０１１８】
実施形態及び各変形例に係るタッチ操作装置８は、ロック制御部８０１、画像生成部８０２、タッチスクリーン８１、記憶部８２を含む。ロック制御部８０１は、予め決められた機能のロック及びロック解除の動作を制御する。画像生成部８０２は、ロック解除のためのロック解除画面（Ｄ１２、Ｄ１２１、Ｄ２２、Ｄ３２、Ｄ４２、Ｄ５２）を生成する。タッチスクリーン８１は、生成されたロック解除画面を表示し、タッチ操作を検出できる。記憶部８２は、予め登録された解除パターン（Ｏｐ１、Ｏｐ２、Ｏｐ３）と、複数個の記号を組合せた解除記号（Ｏｃ１、Ｏｃ２、Ｏｃ３）とを記憶する。画像生成部８０２は、複数個のガイド（Ｇｕ１、Ｇｕ２、Ｇｕ３）をロック解除画面に含める。画像生成部８０２は、所定の規則に従ってガイドを配列する。画像生成部８０２は、複数個の記号をロック解除画面に含める。画像生成部８０２は、一定の間隔をあけてガイドの周囲に記号（Ｎｕｍ１、Ｎｕｍ２、Ｎｕｍ３、Ｃｈｒ１）を配する。画像生成部８０２は、開始ガイドＧｕｓとして設定されたガイドを１つロック解除画面に含める。画像生成部８０２は、開始ガイドＧｕｓの周囲に解除記号を配置したロック解除画面を生成する。ロック制御部８０１は、ガイドを繋ぐタッチ操作の軌跡である入力パターン（Ｔｒ１、Ｔｒ２、Ｔｒ３）を取得する。入力パターンにおいて、最初にタッチ操作がなされたガイドが開始ガイドＧｕｓと一致するとともに、入力パターンの形状と解除パターンの形状とが一致したこと確認したとき、ロック制御部８０１は、ロックを解除する。
【０１１９】
ロック解除部は、ロック解除画面における入力パターンの最初のガイドと開始ガイドとの一致を確認する。ロック解除部はユーザーが解除記号を知っているか否か確認している。そして、入力パターンと解除パターンとの一致を確認することで、ユーザーがロックパターンを知っているか否か確認している。実施形態に係るタッチ操作装置では、ロック解除の操作中に他人から見られて、解除パターンを知られてしまったとしても、それだけでロックを解除することは困難である。これにより、情報漏えいや不正使用に対する安全性を高めることができる。
【０１２０】
また、画像生成部８０２は、ロック解除画面（Ｄ１２、Ｄ１２１、Ｄ２２、Ｄ３２、Ｄ４２、Ｄ５２）をタッチスクリーン８１に表示する毎に、開始ガイドＧｕｓの位置が異なる新たなロック解除画面を生成する。これにより、情報漏えいや不正使用に対する安全性を高めることができる。
【０１２１】
解除記号（Ｏｃ１、Ｏｃ２、Ｏｃ３）は、含まれる記号の配列順が決められている。画像生成部８０２は、開始ガイドＧｕｓの周囲を決められた配列順の解除記号で囲むロック解除画面（Ｄ１２、Ｄ１２１、Ｄ２２、Ｄ３２、Ｄ４２、Ｄ５２）を生成する。開始ガイド（Ｇｕｓ）とその他ガイド（Ｇｕ１）を区別しやすくすることができる。ロック解除の操作を容易に行うことが可能である。
【０１２２】
ロック解除画面（Ｄ１２、Ｄ１２１、Ｄ２２、Ｄ３２、Ｄ４２、Ｄ５２）を表示させた後にロック制御部８０１がタッチ操作を検出したとき、画像生成部８０２は、ロック表示画面に含まれる全ての記号を非表示にする。他人がユーザーの入力パターン（Ｔｒ１、Ｔｒ２、Ｔｒ３）の入力を盗みしても、解除記号（Ｏｃ１）を知られにくくすることができる。これにより、情報漏えいや不正使用に対する安全性を高めることができる。また、ロック解除画面をタッチスクリーン８１に表示する毎に、開始ガイドＧｕｓの位置や記号（Ｎｕｍ１）の配列を変更するようにしてもよい。例えば、あるロック解除画面の最初のガイドＧｆｔの位置を知られてしまった場合でも、開始ガイド（Ｇｕｓ）が入れ替わるので、ロックを不正に解除することが難しい。情報漏えいや不正使用に対する安全性を高めることができる。
【０１２３】
上記構成において、画像生成部８０２は、解除記号（Ｏｃ１、Ｏｃ２、Ｏｃ３）に含まれる記号の個数に対応して、決められた配列でガイドを並べたロック解除画面（Ｄ１２、Ｄ１２１、Ｄ２２、Ｄ３２、Ｄ４２、Ｄ５２）を生成する。ロック解除画面のガイドの配列の規則は、解除記号に含まれる記号の個数に基づいて変化してもよい。ユーザーは、解除記号の設定の幅が広がる。例えば、３個の記号からなる解除記号（３ケタの数字）、４個の記号からなる解除記号（４ケタの数字）、６個の記号からなる解除記号（６ケタの数字）のいずれかから選択することができてもよい。解除記号の選択範囲が広がる。なお、５個、７個等の記号からなる解除記号は、全ての記号を利用するものとしては、使用できない。一部を使用するようにすることで、利用することができる。例えば、５個の記号を含む解除記号を利用する場合、１個の記号はどのような記号でもよいと扱い、５個の記号は６個の記号を含む解除記号と扱ってもよい。また、１個の記号は不使用の記号と扱い、５個の記号は４個の記号を含む解除記号と扱ってもよい。
【０１２４】
解除記号（Ｏｃ１、Ｏｃ２、Ｏｃ３）は、複数個の記号を含み、文字を含んでもよい。また、解除記号（Ｏｃ１、Ｏｃ２、Ｏｃ３）は、複数個の記号を含み、数字を含んでもよい。なお、記号としては、数字、文字、狭義の記号を挙げることができる。文字には、数字、アルファベット以外にも、ユーザーが使用する言語に特有の文字（例えば、ひらがな、カタカナ、漢字等）を使用してもよい。
【０１２５】
画像生成部８０２は、解除記号（Ｏｃ１、Ｏｃ２、Ｏｃ３）に含まれる記号のうち、何れか１つの記号である特定記号Ｃ０を認識する。画像生成部８０２は、特定記号Ｃ０を１つのみ含み、開始ガイドＧｕｓの周囲に特定記号Ｃ０を配置したロック解除画面（Ｄ１２、Ｄ１２１、Ｄ２２、Ｄ３２、Ｄ４２、Ｄ５２）を生成する。これにより、開始ガイドＧｕｓを見つけやすくすることができる。開始ガイドＧｕｓの位置が分かりづらいという不満を感じさせないようにすることができる。
【０１２６】
解除記号（Ｏｃ１、Ｏｃ２、Ｏｃ３）が特定記号Ｃ０と同じ記号を複数含むとき、画像生成部８０２は、解除記号に含まれる特定記号Ｃ０と同じ記号の数である同一記号数を認識する。画像生成部８０２は、特定記号を同一記号数と同じ数だけ含み、開始ガイドＧｕｓの周囲に解除記号を配置したロック解除画面（Ｄ１２、Ｄ１２１、Ｄ２２、Ｄ３２、Ｄ４２、Ｄ５２）を生成する。これにより、特定記号Ｃ０を必要な数だけ、ロック解除画面に含めることができる。
【０１２７】
タッチスクリーン８１は、特定記号Ｃ０を選択する操作を受け付ける。画像生成部８０２は、タッチスクリーン８１での選択操作に基づき、特定記号Ｃ０を認識する。これにより、所望の記号を特定記号Ｃ０に設定することができる。
【０１２８】
画像生成部８０２は、解除記号（Ｏｃ１、Ｏｃ２、Ｏｃ３）に含まれる記号のうち、第１特定記号Ｃ１と第２特定記号Ｃ２を認識する。画像生成部８０２は、第１特定記号Ｃ１と第２特定記号Ｃ２が隣り合う特定記号配列部分Ｃ３を１つのみ含み、開始ガイドＧｕｓの周囲に第１特定記号Ｃ１と第２特定記号Ｃ２を配置したロック解除画面（Ｄ１２、Ｄ１２１、Ｄ２２、Ｄ３２、Ｄ４２、Ｄ５２）を生成する。これにより、特定の記号の組み合わせを１つだけ、ロック解除画面に含めることができる。開始ガイドＧｕｓを見つけやすくすることができる。
【０１２９】
タッチスクリーン８１は、第１特定記号Ｃ１と第２特定記号Ｃ２を選択する操作を受け付ける。画像生成部８０２は、タッチスクリーン８１での選択操作に基づき、第１特定記号Ｃ１と第２特定記号Ｃ２を認識する。これにより、所望の記号を第１特定記号Ｃ１と第２特定記号Ｃ２に設定することができる。
【０１３０】
画像形成装置（複合機１００）は、シートに画像を形成する印刷部２、制御部１と、上述のタッチ操作装置８と、を備える。制御部１は、タッチ操作装置８でのタッチ操作に基づいて印刷部２を制御する。
【０１３１】
また、本発明は、タッチ操作装置８のロック解錠方法と捉えることもできる。ロック解錠方法は、ロック解除のためのロック解除画面を生成すること、生成されたロック解除画面を表示すること、タッチ操作を検出すること、予め登録された解除パターンと、複数個の記号を組合せた解除記号とを記憶すること、複数個のガイドをロック解除画面に含めること、所定の規則に従ってガイドを配列すること、複数個の記号をロック解除画面に含めること、一定の間隔をあけてガイドの周囲に記号を配すること、開始ガイドＧｕｓとして設定されたガイドを１つロック解除画面に含めること、開始ガイドＧｕｓの周囲に解除記号を配置したロック解除画面を生成すること、ガイドを繋ぐタッチ操作の軌跡である入力パターンを取得すること、入力パターンにおいて、最初にタッチ操作がなされたガイドが開始ガイドＧｕｓと一致するとともに、入力パターンの形状と解除パターンの形状とが一致したこと確認したとき、ロックを解除すること、を含む。
【０１３２】
以上、本発明の実施形態を説明したが、本発明の範囲はこれに限定されず、発明の主旨を逸脱しない範囲で種々の変更を加えて実施することができる。
【産業上の利用可能性】
【０１３３】
本発明は、電子機器の操作パネルや携帯情報端末等のタッチスクリーンを備えたタッチ操作装置に利用可能である。
【符号の説明】
【０１３４】
１００  複合機                          １      制御部
１１    ＣＰＵ                          １２    画像処理部
２      印刷部                          ３      主記憶部
４      画像読取部                      ５      原稿搬送部
６０    タッチ操作部                    ６１    ハードキー
７      通信部                          ８      タッチ操作装置
８０    処理部                          ８０１  タッチ制御部
８０２  画像生成部                      ８１    タッチスクリーン
８１１  表示部                          ８１２  操作検出部
８２    記憶部                          ８２１  解除パターンデータベース
８２２  解除記号データベース            Ｄ１１  登録画面
Ｄ１２  ロック解除画面                  Ｏｐ１  解除パターン
Ｏｃ１  解除記号                        ＩＰ１  登録用ガイド
Ｇｕ１  ガイド                          Ｇｕｓ  開始ガイド
Ｔｒ１  入力パターン                    Ｇｆｔ  入力パターンの最初のガイド
Ｎｕｍ１  記号                          Ｄ２１  登録画面
Ｄ２２  ロック解除画面                  Ｏｐ２  解除パターン
Ｏｃ２  解除記号                        ＩＰ２  登録用ガイド
Ｇｕ２  ガイド                          Ｔｒ２  入力パターン
Ｎｕｍ２  記号                          Ｄ３１  登録画面
Ｄ３２  ロック解除画面                  Ｏｐ３  解除パターン
Ｏｃ３  解除記号                        ＩＰ３  登録用ガイド
Ｇｕ３  ガイド                          Ｔｒ３  入力パターン
Ｎｕｍ３  記号                          Ｄ４１  登録画面
Ｄ４２  ロック解除画面                  Ｄ５１  登録画面
Ｄ５２  ロック解除画面                  Ｃ０    特定記号
Ｃ１    第１特定記号                    Ｃ２    第２特定記号
Ｃ３    特定記号配列部分Ｃ３
【図１】
2019008762.tif 000003
【図２】
2019008762.tif 000004
【図３】
2019008762.tif 000005
【図４】
2019008762.tif 000006
【図５】
2019008762.tif 000007
【図６】
2019008762.tif 000008
【図７】
2019008762.tif 000009
【図８】
2019008762.tif 000010
【図９】
2019008762.tif 000011
【図１０】
2019008762.tif 000012
【図１１】
2019008762.tif 000013
【図１２】
2019008762.tif 000014
【図１３】
2019008762.tif 000015
【図１４】
2019008762.tif 000016
【図１５】
2019008762.tif 000017
【図１６】
2019008762.tif 000018
【図１７】
2019008762.tif 000019
【図１８】
2019008762.tif 000020
【図１９】
2019008762.tif 000021
【図２０】
2019008762.tif 000022